(57)【要約】本発明は、角膜血管新生を予防、改善及び／または治療するための抗血管形成因子をコードする核酸を含むベクターの使用に関する。【特許請求の範囲】
【請求項１】
角膜血管新生の予防、改善及び／または治療の目的でソフトレンズに含浸させ前記レンズを角膜に装用することによって投与される医薬組成物を製造するための抗血管形成因子をコードする核酸を含むベクターの使用。
【請求項２】
抗血管形成因子をコードする核酸が、プラスミノーゲンｕＰＡのアクチベーターのＮ末端フラグメント（ＡＴＦ）、アンギオスタチン、エンドスタチン、プロラクチンの１６ｋＤａフラグメント、血小板因子４（ＰＦ−４）から選択されたポリペプチドをコードする核酸、または、これらの因子の少なくとも２つをコードする核酸の組合せであることを特徴とする請求項１に記載の使用。
【請求項３】
抗血管形成因子が、プラスミノーゲンｕＰＡのアクチベーターのＮ末端フラグメント（ＡＴＦ）及びアンギオスタチンＫ３から選択されることを特徴とする請求項２に記載の使用。
【請求項４】
ベクターが、プラスミド、コスミドまたはウイルスによってキャプシド内包化されていないいずれかのＤＮＡであることを特徴とする請求項１から３のいずれか一項に記載の使用。
【請求項５】
ベクターが、組換えウイルス、好ましくは、アデノウイルス、レトロウイルス、レンチウイルス、ヘルペスウイルスまたはアデノ関連ウイルスに由来の組換えウイルスであることを特徴とする請求項１から３のいずれか一項に記載の使用。
【請求項６】
組換えウイルスが欠陥組換えアデノウイルスであることを特徴とする請求項５に記載の使用。
【請求項７】
１．１０６から１．１０１２ｐｆｕ／ｍｌ、好ましくは１．１０８から１．１０１０ｐｆｕ／ｍｌを含んでおり点眼によって投与される医薬組成物を製造するための請求項５または６に記載の使用。
【請求項８】
抗血管形成因子をコードする核酸を含む組換えベクターと医薬として許容される１種または複数の相溶性アジュバントとを混合することを特徴とする、角膜血管新生の予防、改善及び／または治療に有用な医薬の製造方法。
【請求項９】
抗血管形成因子をコードする少なくとも１つの核酸を含む欠陥組換えベクターから成り、眼内投与剤として製剤化されることを特徴とする医薬組成物。
【請求項１０】
１．１０６から１．１０１２ｐｆｕ／ｍｌ、好ましくは１．１０８から１．１０１０ｐｆｕ／ｍｌを含むことを特徴とする請求項９に記載の医薬組成物。
【請求項１１】
請求項９または１０に記載の組成物を収容した容器とソフトレンズとから成るキット。
【請求項１２】
角膜血管新生の予防、改善及び／または治療を目的としてレンズに含浸させることによって投与される医薬を製造するための請求項１１に記載のキットの使用。
【発明の詳細な説明】
【０００１】
本発明は、角膜血管新生を予防、改善及び／または治療するための抗血管形成因子をコードする核酸を含むベクターの使用に関する。本発明はまた、このようなベクターを有効に局所投与し得る医薬組成物及びデバイスに関する。
【０００２】
角膜症は、外傷、薬物、感染または遺伝などが原因となる角膜疾患である。最も多い症例はヘルペス性角膜症または帯状疱疹性角膜症（眼角膜性神経麻痺性帯状疱疹）のようなウイルス感染による角膜症である。外傷性角膜症は、交通事故などでフロントガラスの破片のような小異物が眼内に飛入することによって発症し、薬物性角膜症は化学物質の飛沫が眼球にかかることによって発症する。
【０００３】
上記のようなすべての角膜症ではしばしば血管新生が併発する。血管新生は角膜混濁の最大原因であり、失明に至ることもある。血管新生を併発した失明のおそれのある角膜症に罹患した患者の視力を回復するために現在使用できる唯一の治療方法は角膜移植である。角膜移植は有効な方法ではあるが、移植組織の不足が重大な制約になっている。例えばフランスでは年間３０００体の移植組織が不足している。このような現状から、失明の恐れがある角膜症の新規な治療方法が要望されている。
【０００４】
眼球は、角膜、房水で満たされた前房、虹彩及び水晶体を含む前眼部と、網膜、脈絡膜及び強膜後部を含む後眼部とから構成されている。角膜は眼の表面から奥に向かって、角膜上皮、ボウマン基底膜、角膜固有質及びデスメ膜を含み、デスメ膜が角膜内皮を支えている。透明な線維性エンベロープである角膜は血管及びリンパ管を全く含まない。角膜に供給される栄養は、房水及び輪部（強膜と角膜との連接部）の血管から拡散される代謝物質であり、また、角膜に供給されるＯ２の一部分は外部環境から直接取り込まれる。
【０００５】
眼の血管網は眼動脈から個別の２つの血管系、即ち、網膜血管系とブドウ膜血管系とに分岐する。ブドウ膜血管系は、虹彩、毛様体及び脈絡膜の血管網を含む。この血管系統樹は、血流量の減少または酸素量の減少を特徴とする疾患状態では変化する。即ち、新生血管が、細静脈からの小血管回路から虚血ゾーン近傍において生じる。これらの細静脈の基底膜はタンパク質分解酵素の作用下で分断され、その結果として内皮細胞が泳動し得る。内皮細胞は形態変化を生じ、増殖し、次いでその液胞が拡大する。拡大した液胞は徐々に集密化して組織化され、真正の血管内腔を形成する。これらの新生血管では内皮細胞間の接合部の気密性が十分でなく、また、新生血管の基底膜が途切れているので、血管の透過性が高くなり、赤血球の管外遊出が生じる。
【０００６】
従って、このような血管新生または血管形成が、視力低下を引き起こし、最悪の場合には失明を引き起こす多くの視力障害の原因である。幾つかのウイルス性角結膜炎、特にヘルペスウイルスによって引き起こされるウイルス性角結膜炎及び浮腫のような多くの病的状態では、角膜の表層で縁部血管の増殖が観察される。失明を引き起こし易い別の形態の血管新生は、翼状片の場合に見出される。翼状片は、血管をもつ結膜由来の膜が眼球周辺結膜から角膜表面に侵入し、場合によってはもっと奥の角膜固有質まで侵入したものである。また、翼状片が存在するときは角膜移植手術が極めて難しく、角膜血管新生が再発し易い。
【０００７】
本発明の発明者らは角膜血管新生の特に有効な予防及び／または治療方法を開発することに成功した。本発明方法は、抗血管形成因子をコードするベクターを含む医薬組成物の点眼と角膜接触用ソフトレンズの装用との組合せから成る。接触用レンズの装用時期は、ベクター含有組成物の点眼よりも前、同時または後のいずれの時期でもよい。好ましくは接触用レンズの装用をベクター含有組成物の点眼と同時に行う。より好ましくはレンズを角膜に装用する前にベクター含有組成物を接触用レンズに予め含浸させておく。
【０００８】
ベクターを含む医薬組成物は眼内使用に適応するいかなる形態でもよく、特に洗眼剤または眼科用軟膏の形態でよい。好ましくは医薬組成物が洗眼剤の形態である。
【０００９】
血管新生に付随する眼病を予防及び治療する抗血管形成因子の効果を試験するために、出願人らは、角膜血管新生を生じている２つのラットを動物モデルとして使用した。抗血管形成因子をコードする核酸の導入は、種々の抗血管形成因子をコードする欠陥組換えアデノウイルスを利用し、このようなアデノウイルスを点眼することによってまたはアデノウイルス含有溶液を予め含浸させたソフトレンズを装用することによって行う。出願人らは予想外にも、ベクター含有溶液を予め含浸させた接触用レンズを使用し、抗血管形成因子をコードする核酸を含むベクターを角膜の処に導入するとこれまでに比類のない効率で角膜血管新生を予防及び治療し得ることを知見した。
【００１０】
本発明の範囲内で使用し得る種々の抗血管形成因子としては特に、プラスミノーゲンｕＰＡのアクチベーターのＮ末端フラグメント（ＡＴＦ）（Ａｐｐｅｌｌａら，Ｊ．Ｂｉｏｌ．Ｃｈｅｍ．２６２，４４３７−４４４０（１９８７））、アンギオスタチン（Ｍ．Ｏ’Ｒｅｉｌｌｙら，Ｃｅｌｌ　７９，１１５７−１１６４（１９９４））、特にアンギオスタチンＫ３（ヒトプラスミノーゲンのＮ末端１−３３３フラグメント）、エンドスタチン（Ｍ．Ｏ’Ｒｅｉｌｌｙら，Ｃｅｌｌ　８８，２７７−２８５（１９９７））、プロラクチンの１６ｋＤａフラグメント（Ｃ．Ｃｌａｐｐら，Ｅｎｄｏｃｒｉｎｏｌ．１３３，１２９２−１２９９（１９９３））または血小板４因子ＰＦ−４（Ｓ．Ｋ．Ｇｕｐｔａら，Ｐ．Ｎ．Ａ．Ｓ．ＵＳＡ　９２，７７９９−７８０３（１９９５））が挙げられる。
【００１１】
本発明の第一の目的は、角膜血管新生の予防、改善及び／または治療の目的でソフトレンズに含浸させ該レンズを角膜に装用することによって投与される医薬組成物を製造するための少なくとも１つの抗血管形成因子をコードする核酸を含むベクターの使用に関する。
【００１２】
好ましくは、抗血管形成因子をコードする核酸は、プラスミノーゲンｕＰＡのアクチベーターのＮ末端フラグメント（ＡＴＦ）、アンギオスタチン、アンギオスタチンＫ３、エンドスタチン、プロラクチンの１６ｋＤａフラグメントまたは血小板因子４（ＰＦ−４）から選択されたポリペプチドをコードする核酸であるか、または、これらの因子の少なくとも２つをコードする核酸の組合せである。より好ましくは、抗血管形成因子が、プラスミノーゲンｕＰＡのアクチベーターのＮ末端フラグメント（ＡＴＦ）及びアンギオスタチンＫ３から選択される。
【００１３】
特定実施態様によれば、抗血管形成因子は上記に挙げた因子の変異体である。本文中で全く同様に使用されたポリペプチドまたはタンパク質の“変異体”なる用語は、ポリペプチドまたはタンパク質に由来し該ポリペプチドまたは該タンパク質の抗血管形成機能を保持している誘導形態または突然変異形態のフラグメントを意味する。ポリペプチドまたはタンパク質の種々の変異体は自然状態でも存在し得る。これらの変異体は、タンパク質をコードする構造遺伝子のヌクレオチド配列の違いを特徴とする対立遺伝子型変異でもよく、または、分画スプライシングもしくは翻訳後修飾によって生じた変異でもよい。これらの変異体は、１つまたは複数のアミノ酸残基の置換、欠失、付加及び／または修飾によって得られてもよい。これらの修飾は、当業者に公知の任意の技術によって行われる。
【００１４】
これらの変異体は特に、結合部位に対する親和性が強化された分子、ｉｎ　ｖｉｖｏ発現を改善し得る配列、プロテアーゼ抵抗性が増加した分子、治療効果が増加した分子、副作用が減少した分子、または場合によっては新規な生物特性を獲得した分子である。
【００１５】
本発明の範囲内で使用し得る別の変異体としては特に、１つまたは複数の残基が置換された分子、考察される結合部位との相互作用に全くもしくは殆ど関与しない領域または望ましくない活性を発現する領域を欠失させることによって得られた誘導体、または、天然型配列に対して追加された残基、例えば、分泌シグナル及び／または接合ペプチドを含む誘導体がある。
【００１６】
本発明の範囲内で使用される抗血管形成因子をコードするＤＮＡ配列は、ｃＤＮＡでもゲノムＤＮＡ（ｇＤＮＡ）でもよく、または、例えば１つもしくは複数のイントロンが挿入されたｃＤＮＡから成るハイブリッド構築物でもよい。これらはまた、動物またはヒトに由来の核酸でもよく、好ましくはヒトに由来の核酸である。また、合成または半合成の配列でもよい。ｃＤＮＡまたはｇＤＮＡの使用が特に有利である。より詳細には、ｇＤＮＡを使用するとヒト細胞内の発現が改善される。
【００１７】
抗血管形成因子をコードする配列は、このような配列を角膜上皮細胞内で発現させ得るシグナルのコントロール下に配置されるのが有利である。異種の発現シグナル、即ち、抗血管形成因子の発現を担当する生来のシグナルとは異なるシグナルが好ましい。特に好ましい配列は別のタンパク質の発現を担当する配列または合成配列である。より特定的には、真核細胞遺伝子またはウイルス遺伝子のプロモーター配列である。例えば、感染対象細胞のゲノムに由来するプロモーター配列がある。また、使用するアデノウイルスも含めたウイルスのゲノムに由来のプロモーター配列がある。ウイルスプロモーターの例としては、Ｅ１Ａ、ＭＬＰ、ＣＭＶ、ＬＴＲ−ＲＳＶのようなプロモーターを挙げることができる。更に、活性化配列、調節配列、または組織特異的発現を行わせる配列を付加することによってこれらの発現配列を修飾してもよい。より詳細には、ベクターが実際に細胞に感染したときにだけＤＮＡ配列を発現して機能するような特異的活性または優越的活性を角膜細胞内で有し得る発現シグナルを使用するのが特に好ましい。
【００１８】
１つまたは複数の抗血管形成因子をコードする核酸をベクターに導入する。本発明に使用された“ベクター”なる用語は、好ましくは眼組織、より特定的には角膜で宿主細胞に核酸を導入し得る任意の手段を意味する。ベクターなる用語は、ｉｎ　ｖｉｖｏまたはｅｘ　ｖｉｖｏで細胞に核酸を導入するウイルスベクターまたは非ウイルスベクターを含意する。本発明で使用し得るベクターの種類としては、プラスミド、コスミドまたはウイルスによってキャプシド内包化されていないいずれかのＤＮＡ、ファージ、人工染色体、組換えウイルスなどがある。好ましいベクターはプラスミドまたは組換えウイルスである。
【００１９】
プラスミド型ベクターとしては、一般的に複製起点を含んでいる当業者に公知のすべてのクローニングベクター及び／または発現ベクターを挙げることができる。また、例えば国際特許出願ＷＯ９６／２６２７０及びＷＯ９７／１０３４３に記載されているように改良された複製起点及び／または選択マーカーを含むプラスミドが挙げられる。
【００２０】
組換えウイルス型ベクターとしては、組換えアデノウイルス、組換えレトロウイルス、組換えヘルペスウイルス、組換えレンチウイルス、組換えアデノ関連ウイルス、またはＳＶ４０ウイルスが好ましい。複製に使用されるこの種の欠陥組換えウイルスの構築に関しては、これらのベクターの感染特性と共に多くの文献に記載されている（特に、Ｓ．Ｂａｅｃｋ　＆　Ｋ．Ｌ．Ｍａｒｃｈ（１９９８），Ｃｉｒｃｕｌ．Ｒｅｓｅａｒｃｈ　ｖｏｌ．８２，ｐｐ２９５−３０５；Ｔ．Ｓｈｅｎｋ，Ｂ．Ｎ．Ｆｉｅｌｄｓ，Ｄ．Ｍ．Ｋｎｉｐｅ，Ｐ．Ｍ．Ｈｏｗｌｅｙら（１９９６），Ａｄｅｎｏｖｉｒｉｄａｅ：ｔｈｅ　ｖｉｒｕｓｅｓ　ａｎｄ　ｔｈｅｉｒ　ｒｅｐｌｉｃａｔｉｏｎ（ｉｎ　ｖｉｒｏｌｏｇｙ），ｐｐ２１１−２１４８，ＥＤＳ　−Ｒａｖｅｎｓｐｕｂｌｉｓｈｅｒｓ／Ｐｈｉｌａｄｅｌｐｈｉａ；Ｐ．Ｙｅｈ　＆　Ｍ．Ｐｅｒｒｉｃａｕｄｅｔ（１９９７），ＦＡＳＥＢ　Ｖｏｌ．１１，ｐｐ６１５−６２３参照）。
【００２１】
本発明に使用するための特に好ましい組換えウイルスは欠陥組換えアデノウイルスである。
【００２２】
アデノウイルスは、約３６ｋｂ（キロ塩基）のサイズをもつ直鎖状の二重鎖ＤＮＡウイルスである。このウイルスには種々の血清型が存在しており、それらの構造及び特性には多少の違いがあるが、似通った遺伝子編成を有している。組換えアデノウイルスは主としてヒトまたは動物に由来し得る。ヒト由来の組換えアデノウイルスとしては、グループＣに分類されるアデノウイルス、特にアデノウイルス２型（Ａｄ２）、５型（Ａｄ５）、７型（Ａｄ７）または１２型（Ａｄ１２）が好ましい。動物に由来する種々のアデノウイルスのうちでは、イヌ由来のアデノウイルス、特にアデノウイルスＣＡＶ２のすべての菌株〔マンハッタン株またはＡ２６／６１（例えばＡＴＣＣ　ＶＲ−８００）〕が好ましい。動物由来のその他のアデノウイルスは、特に国際特許出願ＷＯ９４／２６９１４に記載されている。該特許出願の記載内容は参照によって本発明に含まれるものとする。
【００２３】
アデノウイルスのゲノムは特に、各末端の逆方向反復配列（ＩＲＳ）、キャプシド内包化配列（Ｐｓｉ）、初期遺伝子及び後期遺伝子を含む。主要な初期遺伝子は領域Ｅ１、Ｅ２、Ｅ３及びＥ４に含まれている。これらの遺伝子のうちでは領域Ｅ１に含まれている遺伝子がウイルス伝播に特に必要である。主要な後期遺伝子は領域Ｌ１−Ｌ５に含まれている。アデノウイルスＡｄ５のゲノムの配列は完全に解明されており、データベースでアクセスし得る（特にＧｅｎｂａｎｋ　Ｍ７３２６０参照）。また、その他のアデノウイルス（Ａｄ２、Ａｄ７、Ａｄ１２など）のゲノムについても、配列の一部または全部が解明されている。
【００２４】
組換えベクターとして使用するための種々の治療用遺伝子を組み込んだアデノウイルスに由来の種々の構築物が作製されている。これらの構築物の各々では、アデノウイルスが感染細胞内で複製できないようにを修飾されている。すなわち、従来技術に記載の構築物はウイルス複製に必須の領域Ｅ１が欠失しており、欠失箇所に異種ＤＮＡ配列が挿入されている（Ｌｅｖｒｅｒｏら，Ｇｅｎｅ　１０１（１９９１）１９５；Ｇｏｓｈ−Ｃｈｏｕｄｈｕｒｙら，Ｇｅｎｅ　５０（１９８６）１６１）。更に、ベクターの特性を改善するために、アデノウイルスのゲノムに別の欠失または修飾を加えることが提案されている。例えば突然変異体ｔｓ１２５には、ＤＮＡに結合する７２ｋＤａのタンパク質（ＤＢＰ）を失活させ得る感熱性点突然変異が導入されている（Ｖａｎ　ｄｅｒ　Ｖｌｉｅｔら，Ｊ．Ｖｉｒｏｌ．，１９７５，１５（２）３４８−３５４）。別のベクターではウイルスの複製及び／または伝播に必須の別の領域、即ち領域Ｅ４が欠失している。領域Ｅ４は実際、後期遺伝子の発現の調節、後期核ＲＮＡの安定性、宿主細胞のタンパク質発現の減衰、ウイルスＤＮＡの複製効率に関与する。従って領域Ｅ１とＥ４とが欠失したアデノウイルスベクターは転写バックグラウンドノイズを有しており、また、ウイルスゲノムの発現が極めて減少している。このようなベクターは例えば国際特許出願ＷＯ９４／２８１５２、ＷＯ９５／０２６９７、ＷＯ９６／２２３７８に記載されている。更に、ＩＶａ２遺伝子に修飾を含むベクターも記載されている（国際特許ＷＯ９６／１００８８）。
【００２５】
本発明の好ましい実施態様では、組換えアデノウイルスがグループＣのヒトアデノウイルスである。より好ましくはアデノウイルスがアデノウイルスＡｄ２またはＡｄ５である。
【００２６】
本発明の範囲内で使用される組換えアデノウイルスはそのゲノムの領域Ｅ１に欠失を生じているのが有利である。より詳細には、組換えアデノウイルスが領域Ｅ１ａ及びＥ１ｂに欠失を生じている。欠失は例えばヌクレオチド４５３−３３２８；３８６−３４４６または３５７−４０２０（Ａｄ５のゲノムに基づく）をあげることができる。
【００２７】
別の実施態様によれば、本発明の範囲内で使用される組換えアデノウイルスは更にそのゲノムの領域Ｅ４に欠失を生じている。より詳細には領域Ｅ４の欠失は読取り枠全体に関係している。より正確には例えば３３４６６−３５５３５または３３０９３−３５５３５が欠失している。領域Ｅ４の別の種類の欠失は国際特許出願ＷＯ９５／０２６９７及びＷＯ９６／２２３７８に記載されている。これらの特許出願は参照によって本発明に含まれるものとする。
【００２８】
抗血管形成因子をコードする核酸を含む発現カセットを組換えゲノムの種々の部位に挿入し得る。発現カセットは領域Ｅ１、Ｅ３またはＥ４の処に欠失配列に置換して挿入されてもよくまたは追加部分として挿入されてもよい。また、ウイルスの産生に必要なシス配列（ＩＲＳ配列及びキャプシド内包化配列）以外の別の部位に挿入されてもよい。
【００２９】
本発明に使用された核酸の“発現カセット”なる用語は、特定の制限部位でベクターに挿入できるＤＮＡフラグメントを意味する。該ＤＮＡフラグメントは、ＲＮＡまたは有益なポリペプチドをコードするヌクレオチド配列に加えて、この有益な配列の発現に必要な配列（（１つまたは複数の）エンハンサー、（１つまたは複数の）プロモーター、ポリアデニル化配列、など）を含んでいる。ＤＮＡフラグメント及び制限部位は、該フラグメントが転写及び／または翻訳に適した読取り枠に確実に挿入されるように設計されている。
【００３０】
組換えアデノウイルスは、キャプシド内包化系において、即ち、組換えアデノウイルスゲノムの１つまたは複数の欠損機能をトランス相補し得る細胞系において作製される。当業者に公知のキャプシド内包化系としては、例えば、アデノウイルスゲノムの一部が組み込まれた２９３細胞系がある。より正確には、２９３系は、左側のＩＲＳとキャプシド内包化領域と領域Ｅ１ａ及びＥ１ｂから成る領域Ｅ１とタンパク質ｐＩＸをコードする領域とタンパク質ｐＩＶａ２をコードする領域の一部とを含むアデノウイルス血清型５（Ａｄ５）のゲノムの左端（約１１−１２％）を含むヒト腎胚細胞系である。この系は、領域Ｅ１に関する欠陥組換えアデノウイルス、即ち、領域Ｅ１の全部または一部を喪失した欠陥組換えアデノウイルスをトランス相補し、高い力価をもつウイルス株を産生し得る。この系はまた、感熱性変異Ｅ２を更に含むウイルス株を許容温度（３２℃）で産生し得る。領域Ｅ１を相補し得る別の細胞系としては特に、ヒト肺癌細胞Ａ５４９（国際特許９４／２８１５２）またはヒト網膜芽細胞（Ｈｕｍ．Ｇｅｎ．Ｔｈｅｒ．（１９９６）２１５）に基づく細胞系が記載されている。更に、アデノウイルスの複数の機能をトランス相補し得る系も記載されている。特に、領域Ｅ１及びＥ４を相補する系（Ｙｅｈら，Ｊ．Ｖｉｒｏｌ．Ｖｏｌ．７０（１９９６）ｐｐ５５９−５６５；Ｃａｎｃｅｒ　Ｇｅｎ．Ｔｈｅｒ．２（１９９５）３２２；Ｋｒｏｕｇｌｉａｋら，Ｈｕｍ．Ｇｅｎ．Ｔｈｅｒ．６（１９９５）１５７５）並びに領域Ｅ１及びＥ２を相補する系（国際特許ＷＯ９４／２８１５２、ＷＯ９５／０２６９７、ＷＯ９５／２７０７１）がある。
【００３１】
組換えアデノウイルスは通常、ウイルスＤＮＡをキャプシド内包化系に導入し、次いで約２日または３日後に細胞を溶解（アデノウイルスサイクル速度は２４−３６時間）することによって作製する。この方法を実施するために、導入されるウイルスＤＮＡは、細菌（国際特許９６／２５５０６）または酵母（国際特許ＷＯ９５／０３４００）中で場合によって構築された完全組換えウイルスゲノムでよく、このＤＮＡはこの細胞にトランスフェクトされる。また、キャプシド内包化系の感染に使用された組換えウイルスでもよい。ウイルスＤＮＡはまた、キャプシド内包化細胞に導入された後に種々のフラグメント間の相同的組換えによって組換えウイルスゲノムが復元されるよう、各々が組換えウイルスゲノムの一部分と相同ゾーンとを含んでいるフラグメントの形態で導入されてもよい。
【００３２】
細胞の溶解後、組換えウイルス粒子を塩化セシウム勾配遠心によって単離する。代替方法は国際特許出願ＷＯ９８／００５２８に記載されている。該特許出願は参照によって本発明に含まれるものとする。
【００３３】
本発明に好適に使用し得るベクターの例としては特に、参照によって本発明に含まれる国際特許出願ＷＯ９８／４９３２１に記載されたようなフラグメントＡＴＦをコードする遺伝子を含む欠陥組換えアデノウイルス（Ａｄ．ＣＭＶ．ＡＴＦ）、国際特許出願ＷＯ９８／４９３２１に記載されたようなアンギオスタチンＫ３をコードする遺伝子を含む欠陥組換えアデノウイルス（Ａｄ−Ｋ３）がある。
【００３４】
本発明はまた、上記のようなベクターと、眼内投与剤、特に点眼剤の調製に使用できる生理的に許容されるビヒクルとから成る医薬組成物に関する。医薬組成物は主として、無菌等張性の生理的塩類溶液（リン酸一ナトリウム、リン酸二ナトリウム、塩化ナトリウム、塩化カリウム、塩化カルシウムまたは塩化マグネシウムなど、あるいはそれらの混合物）の形態であるか、または、滅菌水もしくは生理的血清を適宜添加することによって点眼溶液を復元し得る乾燥組成物、特に凍結乾燥組成物の形態である。
【００３５】
点眼または接触レンズの含浸に使用される用量は、種々のパラメーター、特に使用される投与方式、接触レンズの化学的特性、発現させる遺伝子、あるいは所望の発現期間に従って適宜増減される。一般的には、本発明の組換えウイルスを、１０４から１０１４ｐｆｕ、好ましくは１０６から１０１０ｐｆｕの用量の形態に製剤化して投与する。ｐｆｕ（“プラーク形成単位”）なる用語は、ウイルス溶液の感染能を示しており、適当な細胞培養物を感染させ、感染細胞プラークの数を測定することによって決定する。ウイルス溶液のｐｆｕ力価を決定する技術は文献に詳細に記載されている。
【００３６】
更に、本発明の組成物はまた、化学的または生化学的な導入剤を含有し得る。“化学的または生化学的な導入剤”なる用語は、細胞内への核酸の侵入を促進する任意の化合物（即ち、組換えウイルス以外の化合物）を意味する。その例は、カチオン性脂質、ペプチド、ポリマー（ポリエチレンイミン、ポリリシン）、ナノ粒子のようなカチオン性の非ウイルス物質、または、非カチオン性リポソーム、非カチオン性ポリマーまたは非カチオン性ナノ粒子のような非カチオン性の非ウイルス物質である。
【００３７】
好ましい実施態様によれば、本発明の組成物は抗血管形成因子をコードする遺伝子を含む欠陥組換えベクターを含んでおり、点眼薬として製剤化されている。本発明の組成物は、１０４から１０１４ｐｆｕ、好ましくは１０６から１０１０ｐｆｕを含んでいるのが有利である。接触レンズの含浸に使用される溶液の力価は１．１０６から１．１０１２ｐｆｕ／ｍｌ、好ましくは１．１０８から１，１０１０ｐｆｕ／ｍｌの範囲である。
【００３８】
本発明はまた、上記のような組成物を収容した容器と少なくとも１個の接触レンズとから成るキットに関する。また、角膜血管新生の予防、改善及び／または治療の目的でレンズに含浸させることによって投与する医薬を製造するためのこのようなキットの使用に関する。
【００３９】
本発明の範囲内で使用される接触レンズは当業者に公知であり、好ましくは特に、Ｋｕｎｚｌｅｒら（Ｃｈｅｍｉｓｔｒｙ　＆　Ｉｎｄｕｓｔｒｙ，６５１−６５５（１９９５））；Ｋｕｎｚｌｅｒら（ＴＲＩＰ，Ｖｏｌ　４（２）５２−５９（１９９６））；Ｊ．Ｓｉｎｇｈら（Ｊ．Ｍ．Ｓ．Ｒｅｖ．Ｍａｃｒｏｍｏｌ．Ｃｈｅｍ．Ｐｈｙｓ．Ｃ３２（３＆４），５２１−５３４（１９９２））；Ｊ．Ｃ．Ｗｈｅｅｌｅｒら（Ｊｏｕｒｎａｌ　ｏｆ　Ｌｏｎｇ−Ｔｅｒｍ　Ｅｆｆｅｃｔｓ　ｏｆ　Ｍｅｄｉｃａｌ　Ｉｍｐｌａｎｔｓ，６（３＆４）：２０７−２１７（１９９６））に記載されているような接触用ソフトレンズである。
【００４０】
本発明の目的はまた、抗血管形成因子をコードする核酸を含む組換えベクターを医薬として許容される１種または複数の相溶性アジュバントに混合することを特徴とする、角膜血管新生の予防、改善及び／または治療に有用な医薬の製造方法を提供することである。
【００４１】
本発明はまた、抗血管形成因子をコードする核酸を含む有効量の組換えベクターを接触レンズに含浸させることによって投与することを特徴とする、角膜血管新生を発症している哺乳動物、特にヒトの治療方法に関する。
【００４２】
以下の実施例によって本発明をより詳細に説明する。これらの実施例は本発明を非限定例にすぎないことは理解されよう。
【００４３】
（図面の簡単な説明）
図１は、Ａｄ．β−ｇａｌ（２．１０７ｐｆｕ）を含浸させたレンズに７２時間接触させた成体ラットの角膜のパラフィン（５μｍ）封入切片で観察したβ−ガラクトシダーゼの発現の免疫組織化学的検出。ヘマラム染色。（Ａ）表層擦過後に血管新生を生じた角膜、倍率２６５倍；（Ｂ）抗β−ｇａｌ抗体によって検出された上皮細胞の核斑、倍率１３１０倍；（Ｃ）対照とした正常な無血管角膜、倍率５２５倍。（ｅ：上皮；ｅｎ：内皮；ｎｅｏｖｘ：新生血管；ｓ：固有質）。
【００４４】
図２は、２週間前に成体ラットの角膜に設けた縫合線（黒い矢印）によって誘発された角膜血管新生（黒い三角）を示す写真。倍率２４倍。
【００４５】
図３は、アデノウイルス溶液（Ａｄ．ＣＭＶ．ＡＴＦ，図（Ｂ）及び（Ｄ）；ＡｄＫ３，図（Ａ）及び（Ｃ））を含浸させたレンズの予防的抗血管形成効果。倍率２０倍。（Ａ）及び（Ｂ）は、レンズに１週間接触させた角膜を表す。（Ｃ）及び（Ｄ）はレンズに２週間接触させた角膜を表す。
【００４６】
材料及び方法
分子生物学の普遍的技術
プラスミドＤＮＡの分取抽出、プラスミドＤＮＡの塩化セシウム勾配遠心、アガロースゲルもしくはアクリルアミド電気泳動、電気溶出によるＤＮＡフラグメントの精製、フェノールまたはフェノール−クロロホルムによるタンパク質の抽出、エタノールまたはイソプロパノールによる塩媒体中のＤＮＡ沈降、大腸菌の形質転換、などのような分子生物学で慣用の方法は当業者に公知であり、文献にも詳細に記載されている〔Ｍａｎｉａｔｉｓ　Ｔ．ら，“Ｍｏｌｅｃｕｌａｒ　Ｃｌｏｎｉｎｇ，ａ　Ｌａｂｏｒａｔｏｒｙ　Ｍａｎｕａｌ”，Ｃｏｌｄ　Ｓｐｒｉｎｇ　Ｈａｒｂｏｒ　Ｌａｂｏｒａｔｏｒｙ，Ｃｏｌｄ　Ｓｐｒｉｎｇ　Ｈａｒｂｏｒ，Ｎ．Ｙ．，１９８２；Ａｕｓｕｂｅｌ　Ｆ．Ｍ．ら（ｅｄｓ），“Ｃｕｒｒｅｎｔ　Ｐｒｏｔｏｃｏｌｓ　ｉｎ　Ｍｏｌｅｃｕｌａｒ　Ｂｉｏｌｏｇｙ”，Ｊｏｈｎ　Ｗｉｌｅｙ　＆　Ｓｏｎｓ，Ｎｅｗ　Ｙｏｒｋ，１９８７〕。
【００４７】
結合のためには、アガロースゲルまたはアクリルアミドゲル電気泳動によってＤＮＡフラグメントをサイズに従って分離し、フェノールまたはフェノール／クロロホルム混合物によって抽出し、エタノールで沈殿させ、次いで、製造業者の指示通りにＴ４ファージのＤＮＡリガーゼ（Ｂｉｏｌａｂｓ）の存在下でインキュベートする。
【００４８】
５′粘着末端の埋め戻しは大腸菌のＤＮＡポリメラーゼＩのクレノウフラグメント（Ｂｉｏｌａｂｓ）を製造業者の指示通りに使用して行う。３′粘着末端の破壊は製造業者の指示通りに使用したＴ４ファージのＤＮＡポリメラーゼ（Ｂｉｏｌａｂｓ）の存在下で行う。５′粘着末端の破壊はヌクレアーゼＳ１による調節処理によって行う。
【００４９】
合成オリゴデオキシヌクレオチドによってｉｎ　ｖｉｔｒｏで誘発される突然変異は、Ａｍｅｒｓｈａｍによって販売されているキットを使用し、Ｔａｙｌｏｒら〔Ｎｕｃｌｅｉｃ　Ａｃｉｄｓ　Ｒｅｓ．１３（１９８５）８７４９−８７６４〕によって開発された方法に従って行う。
【００５０】
いわゆるＰＣＲ〔Ｐｏｌｙｍｅｒａｓｅ−ｃａｔａｌｙｚｅｄ　Ｃｈａｉｎ　Ｒｅａｃｔｉｏｎ，Ｓａｉｋｉ　Ｒ．Ｋ．ら，Ｓｃｉｅｎｃｅ　２３０（１９８５）１３５０−１３５４；Ｍｕｌｌｉｓ　Ｋ．Ｂ．＆　Ｆａｌｏｏｎａ　Ｆ．Ａ．，Ｍｅｔｈ．Ｅｎｚｙｍ．１５５（１９８７）３３５−３５０〕技術によるＤＮＡフラグメントの酵素増幅は、“ＤＮＡサーマルサイクラー”（Ｐｅｒｋｉｎ　Ｅｌｍｅｒ　Ｃｅｔｕｓ）を製造業者の指示通りに使用して行う。
【００５１】
ヌクレオチド配列の検証は、Ａｍｅｒｓｈａｍによって販売されているキットを使用し、Ｓａｎｇｅｒら〔Ｐｒｏｃ．Ｎｔｌ．Ａｃａｄ．Ｓｃｉ．ＵＳＡ，７４（１９７７）５４６３−５４６７〕によって開発された方法によって行う。
【００５２】
ラットの角膜血管新生モデル
体重１５０ｇの３０匹の雄の成体Ｗｉｓｔａｒラットを１５ｍｇのケタミンと１．５ｍｇのキシラジンとの腹腔内注射で麻酔する。全身麻酔に加えて、１滴の塩酸オキシブプロカイン（ＮｏｖｅｓｉｎｅＲＴＭ）で角膜を局部麻酔する。断続縫合線モデル及び擦過モデルの２つのモデルを試験した。
【００５３】
断続縫合線モデル：２０匹のラットを使用してこの場合の角膜血管新生の誘発を観察する。手術用顕微鏡（Ｚｅｉｓｓ）を使用しながら、無菌条件下で動物の右眼の角膜中央に３つの断続縫合線を設ける（縫合糸ナイロン８−０、針５０μｍ）。左眼は手術しないで対照とする。次いで、角膜の新生血管の発達を写真撮影する生物顕微鏡で角膜を追跡する。角膜血管新生を定量するために、二重盲検で眼球を等しい角膜を含む４つの四分円に分割し、四分円の各々の血管新生を０．５刻みの０から３までの段階で評価する。これに基づいて、眼球の各々を０から１２までの段階で評価する（Ｗ．Ｓｔｒｅｉｌｅｎら，１９９６，Ｉｎｖｅｓｔ．Ｏｐｈｔａｍｏｌ．Ｖｉｓ．Ｓｃｉ．３７：４１３−４２４）。
【００５４】
擦過モデル：手術用顕微鏡（Ｚｅｉｓｓ）下で１０匹のラットの右眼の角膜及び角膜輪部の上皮を小刀１５°で１０分間外科的に擦過し、次いで擦過によって剥離した上皮片をエタノール（ＥｔＯＨ）１００°で除去する（Ａ．ＨＵＡＮＧら，１９８８，Ｏｐｈｔａｌｍｏｌｏｇｙ　９５，２２８−２３５）。露出した角膜はほぼ１０日間で癒合し、血管新生が生じる。次いで、手術しない左眼を対照とし、断続縫合線モデルの場合と同様にして角膜血管新生を評価する。
【００５５】
レンズの製造及び装用：ラット角膜の直径（３ｍｍ）よりも小さい直径の打抜き器で使い捨てソフトレンズを打抜く。次いでこのソフトレンズを、各レンズあたりそれぞれ４．５×１０５ｐｆｕ（プラーク形成単位）、１０６ｐｆｕ及び２×１０７ｐｆｕのアデノウイルスＡｄＫ３、Ａｄ．ＣＭＶ．ＡＴＦまたはＡｄ．ＣＭＶβｇａｌの溶液に周囲温度で１−２時間浸漬させる。各アデノウイルスの希釈ビヒクルとして用いた１０％グリセロールを同様にして浸漬させて対照レンズを準備する。レンズをラットの右眼の角膜に配置し、慎重に瞼板縫合（絹糸６−０、針５０μｍ）を行って再度眼を閉じる。手術しない左眼を対照とする。
【００５６】
アデノウイルスによるトランスジーンの発現を検出するためには、（１）β−ガラクトシダーゼだけを検出するときは凍結切片の比色法による検出技術、または、（２）パラフィン切片に対する免疫組織化学的方法、を使用する。
【００５７】
（１）誕生直後のＷｉｓｔａｒラットの右眼にＡｄ．ＣＭＶβｇａｌレンズを装用させる。このためには、動物を氷浴に沈めて意識を失わせ、４５°に曲がったＤｏｗｅｌｌ鋏及びマイクロ外科手術用鉗子を使用し、やがて動物の目が開くときに開眼線となる線に平行に瞼を慎重に切開する。レンズを角膜に配置し、絹糸６．０によって再度眼を閉じる。
【００５８】
（２）角膜血管新生が見られない１２匹の成体ラット（１ロットあたり４匹）の右眼にＡｄＫ３、Ａｄ．ＣＭＶ．ＡＴＦまたはＡｄ．ＣＭＶβｇａｌのレンズを装用させ、血管新生が見られる３匹のラットにＡｄ．ＣＭＶβｇａｌレンズを装用させる。手術した眼を瞼板縫合によって再び閉じる。
【００５９】
検出技術：β−ガラクトシダーゼを検出するために異なる３つの技術を使用する。レンズ装用の７２時間後、頸部延長によって動物を殺し、瞼を開いてピンセットで眼球を摘出する。眼球全体または１４μｍの凍結切片または５μｍ厚のパラフィン切片のβ−ガラクトシダーゼを検出する。
【００６０】
（ｉ）眼球全体：０．５％のグルタルアルデヒド中で周囲温度で１時間定着させた後、眼球の各々（成体ラット及び誕生直後のラット）を２ｍＭのＭｇＣｌ２を含有するＰＢＳ　１Ｘ溶液に浸漬させ、次いで両眼ルーペ（Ｌｅｉｃａ）で観察しながら残留筋組織を除去する。次いで眼球の各々を５ｍＭのＫ３Ｆｅ（ＣＮ）６、５ｍＭのＫ４Ｆｅ（ＣＮ）６、２ｍＭのＭｇＣｌ２、１ｍｇ／ｍｌの５−ブロモ−４−クロロ−３−インドリル−ｂ−Ｄガラクトシド（Ｘ−ｇａｌ）の検出溶液中で３７℃で２時間インキュベートする。ＰＢＳ　１ｘで複数回の洗浄を行った後、両眼ルーペで観察しながら眼球を写真撮影する。
【００６１】
（ｉｉ）１４μｍの凍結切片：誕生直後のラットの眼球を直ちに０．５％グルタルアルデヒド中で周囲温度で１時間維持して定着させ、次いで１５％ショ糖中で３０分間低温保護する。眼球を次に、イソペンタン中で−３０℃で凍結させると組織を−８０℃で保存し得る封入用培地（Ｔｉｓｓｕｅ　Ｔｅｋ）を収容した固体プラスチックカップに入れる。眼球をクリオスタット（Ｌｅｉｃａ）で１４μｍに切断する。次に検出用溶液を切片に直接載せ、湿潤室で３７℃で２時間維持する。ＰＢＳ　１ｘで１０分間ずつ３回洗浄した後、切片を１％ニュートラルレッドで対比染色し、８０°、９５°、１００°の順にアルコール度を漸増させた浴で脱水し、次いでユーキット（ｅｕｋｉｔｔ）中でスライドグラスとカバーグラスとに挟んでスライドを作製する。
【００６２】
（ｉｉｉ）５μｍ厚のパラフィン切片：免疫組織化学によるβ−ガラクトシダーゼの検出方法は比色法による従来の検出方法よりもはるかに高感度の技術である。Ｄａｖｉｄｓｏｎ定着剤に４８時間浸漬させた後、成体ラットの眼球を慎重に解剖し、水晶体を除去して、プラスチックカセットに入れ、オートマトンのバスケットに入れて、以下のサイクルで処理する：１０％ホルモルで３０分；７０°のＥｔＯＨで１時間；８０°のＥｔＯＨで１時間；１００°のＥｔＯＨで１時間ずつ５回；キシレンで１時間３０分ずつ２回；パラフィンで１時間ずつ４回。次に眼球をパラフィンに封入し、ミクロトーム（Ｌｅｉｃａ）を使用して視神経に平行に５μｍの切片を矢状裁断する。前処理したスライドグラス（ＤＡＫＯ）に切片を集める。
【００６３】
切片の定着：抗β−ガラクトシダーゼ抗体（ＴＥＢＵ）による免疫組織化学的検出を有利に行うことができるように、スライドグラスを５６℃のオーブンで４８時間乾燥し、次いでキシレン浴に１５分間ずつ２回浸漬し、１００°のＥｔＯＨ浴に１０分間ずつ２回浸漬してパラフィンを除去する。次に切片を流水下に数分間維持して水を含ませる。
【００６４】
ブロック及び透過：スライドグラスを０．０１Ｍのクエン酸バッファ，ｐＨ６に入れ、先ず周囲温度で５分間維持し、次いでパワー８（７５０ワット）の電子レンジに入れて５分間ずつ２回加熱する。周囲温度に放冷した後、浸透圧を調節した水で切片を洗浄し、ＤＡＫＯフレームを付ける。検出用複合体と競合しその結果として反応の判定を不可能にするような組織ペルオキシダーゼを除去するために、３％Ｈ２Ｏ２を１０分間使用する。次に、スライドグラスをＰＢＳ　１ｘ、２ｇ／リットルのゼラチン、０．２５％のトリトン及び３％のウシ血清アルブミン（ＢＳＡ）を含有する混合物中で３０分間インキュベートして、非特異的部位を飽和させる。
【００６５】
標識：ウサギ抗β−ガラクトシダーゼ一次抗体を、ＰＢＳ　１ｘ、２ｇ／リットルのゼラチン及び０．０２５％のトリトンの混合物中で１／１０００に希釈する。周囲温度で１時間インキュベーション後、抗体の希釈に使用した混合物によって素早く洗浄し、次いで５分間ずつ更に４回洗浄する。ロバ体内で産生させたビオチニル化抗ウサギ第二抗体（ＤＡＫＯ）を、２ｇ／リットルのゼラチンを加えたＰＢＳ　１ｘによって１／２００に希釈し、３０分間作用させる。次にスライドグラスを希釈媒体で先ず素早く１回、次いで５分間ずつ４回洗浄した後、同じ混合物で１／４００に希釈したストレプトアビジン／ペルオキシダーゼ検出用複合体（ＤＡＫＯ）を加えて３０分間維持する。５分間ずつ３回洗浄し、発色性基質ジアミノベンジジン（ＤＡＢ）を加える。検出時間は２−２０分の範囲である。浸透圧を調節した水にスライドグラスを浸漬させることによって反応を停止させる。次に、スライドグラスをヘマラムに１分間入れて対比染色し、浸透圧を調節した水で素早く洗浄し、次いでＬｉＣＯ３中に数秒間維持して違いを生じさせる。スライドグラスを最終的に脱水し、次いでユーキット中でスライドグラスとカバーグラスとに挟んでスライドを作製するまでキシレン中で保存する。
【００６６】
実施例１：欠陥組換えアデノウイルスＡｄ．ＣＭＶ．ＡＴＦ、ＡｄＫ３及びＡｄ．ＣＭＶβｇａｌの構築
Ｃｒｏｕｚｅｔら（ＰＮＡＳ　ｖｏｌ　９４　ｐ．１４１４，１９９７）によって記載された一般方法に従ってベクターを構築した。ベクターＡｄ．ＣＭＶ．ＡＴＦ及びＡｄＫ３の構築に関しては国際特許出願ＷＯ９８／４９３２１に詳細に記載されている。該特許出願の記載内容は参照によって本発明に含まれるものとする。
【００６７】
ＡｄＫ３の場合には、１ＫｂのトランスジーンがヒトプラスミノーゲンのＮ−末端フラグメント（残基３３３まで）に対応し、アンギオスタチン分子の最初の３つのクリングルドメインを含んでいる。
【００６８】
Ａｄ．ＣＭＶ．ＡＴＦの場合には、０．５ＫｂのトランスジーンがマウスｕＰＡのＮ−末端フラグメント（アミノ酸１−１３５）をコードするｃＤＮＡであり、Ａｄ．ＣＭＶβｇａｌのトランスジーンは大腸菌ｌａｃＺのリポーター遺伝子をコードする３．１ＫｂのｃＤＮＡを含む。
【００６９】
これらの構築物によるアデノウイルス分子の産生及び分泌をそれぞれノーザンブロット法及びウェスタンブロット法によって検証した。腫瘍成長、血管形成及び腫瘍形成のｉｎ　ｖｉｖｏ阻害試験と、ｂＦＧＦによって刺激された細胞増殖のｉｎ　ｖｉｔｒｏ阻害試験とをＡｄＫ３及びＡｄ．ＣＭＶ．ＡＴＦに対して行った。また、Ａｄ．ＣＭＶβｇａｌのＸ−ｇａｌ活性も試験した。
【００７０】
使用した組換えアデノウイルス予製液の平均力価は、ＡｄＫ３では４．５×１０８ｐｆｕ／ｍｌ、Ａｄ．ＣＭＶ．ＡＴＦでは１０９ｐｆｕ／ｍｌ、Ａｄ．ＣＭＶβｇａｌでは６．９×１０１０ｐｆｕ／ｍｌである。
【００７１】
実施例２：ラットの角膜血管新生モデルで試験した抗血管形成因子をコードするベクターの効果
動物の右眼に装用させたレンズの効果を、（１）角膜との接触期間（１週間または２週間）、（２）抗血管形成因子をコードするベクターの有無、（３）角膜の血管新生の有無、の関数として評価する。
【００７２】
角膜血管新生に対するアデノウイルスの“予防”医学効果を研究するためには３つの断続縫合線を設けた直後に角膜にレンズを装用させる。また、“治療”医学効果を研究するためには１週または２週前から角膜血管新生が生じている眼球にレンズを装用させる。
【００７３】
１ロット１０匹のラットを使用して各アデノウイルスを試験した。５匹では予防効果を試験し、５匹では治療効果を試験する。ビヒクルを含浸させたレンズを装用させた１ロット１０匹のラットを対照とする。
【００７４】
２つの角膜血管新生動物モデルの試験
３つの断続縫合線を設けることによって角膜の新血管を誘発した場合、手術した動物の１００％が角膜血管新生を生じており、反対側の対照眼の角膜は無血管であるので、このような動物は極めて有効なモデルである。処理の第一週目から、血管が、輪部血管アーケードから角膜中心に引き込まれ、角膜の表層で増殖している。
【００７５】
角膜血管新生の発達を示す各眼球の平均スコアは縫合線形成の２週後に７＋／−２である。この時点で角膜血管新生が最大である。角膜の表層擦過による誘発モデルでは７０％だけのラットが角膜血管新生の発達を示す。しかしながら、このモデルの血管新生は前述のモデルの場合よりも均一である。即ち、眼球の４つの四分円の全部に血管新生が生じている。これに反して、縫合線モデルでは血管新生が生じた四分円の数が一定でない。このように血管新生が生じた角膜の表面範囲の不均一性は、輪部に対する縫合線の位置、固有質内の縫合線の深さ及びそれらの大きさに緊密に左右される。擦過の２週後の各眼球の平均スコアは８＋／−２である。
【００７６】
パラフィンに封入し、過ヨウ素酸／シッフ塩基／ヘマトキシリン混合物で染色した角膜切片では、新血管が主として角膜上皮に出現しているが、固有質にも出現し、また、角膜内皮にも接触している。
【００７７】
接触レンズに予め含浸させたアデノウイルスベクターの導入効率
顕微鏡結果：Ｘ−ｇａｌ溶液と共にインキュベーションした後、２×１０７ｐｆｕ／μｌのアデノウイルスβ−ガラクトシダーゼを含浸させたレンズに接触させたすべての眼球の眼球切片は、誕生直後のラットでは角膜全体に広く散在する斑点、成体ラットでは角膜の広い領域に散在する斑点の形態に青く染色されていた。対照眼球では青い染色は全く観察されない。
【００７８】
顕微鏡結果：正常な角膜の凍結切片のβ−ガラクトシダーゼを比色法で検出するとき、標識は主として角膜上皮細胞の核に存在する。
【００７９】
パラフィンに封入した血管新生角膜切片では免疫組織化学によって得られる標識が主として角膜内皮細胞の核に見出されるが、角膜上皮細胞及び毛様体上皮細胞の核にも見出される。角膜固有質のケラチノサイト及び固有質内の病的内皮細胞も標識されている（図１）。ｌａｃＺトランスジーンには核局在性シグナルが付加されているが、幾つかの細胞は検出技術にかかわりなく細胞質に標識を有している。
【００８０】
マウスＡＴＦまたはヒトアンギオスタチンをコードするアデノウイルスを用いても等しい結果が得られる。このような結果は、パラフィンに封入したラット眼球の切片に対する特異的免疫組織化学反応によって証明された。
【００８１】
アデノウイルスＡｄ．ＣＭＶ．ＡＴＦ及びＡｄＫ３を予め含浸させたレンズによる抗血管形成効果
ビヒクルを含浸させたレンズを血管新生のない角膜に配置したとき、有意な血管形成作用は全く観察されない。
【００８２】
Ａｄ．ＣＭＶβｇａｌを２×１０７ｐｆｕ／μｌの濃度で含浸させたレンズによって角膜の炎症現象及び血管新生は全く誘発されない。
【００８３】
同様に、Ａｄ．ＣＭＶ．ＡＴＦ（１０６ｐｆｕ／μｌ）及びＡｄＫ３（４．５×１０５ｐｆｕ／μｌ）のレンズは角膜の炎症反応も血管新生も輪部血管形成の消滅も全く誘発しない。
【００８４】
３つの断続縫合線を設けた直後に角膜に装用させたＡｄ．ＣＭＶ．ＡＴＦ含浸レンズは、これらの３つの縫合線の形成によって予想された血管新生の発達を第一週から防止する。この効果は２週後にも持続している。ＡｄＫ３含浸レンズによっても角膜接触の１週後には同じ抗血管形成効果が観察される（図３）。
【図面の簡単な説明】
【図１】Ａｄ．β−ｇａｌ（２．１０７ｐｆｕ）を含浸させたレンズに７２時間接触させた成体ラットの角膜のパラフィン（５μｍ）封入切片で観察したβ−ガラクトシダーゼの発現の免疫組織化学的検出結果を示す。
【図２】２週間前に成体ラットの角膜に設けた縫合線（黒い矢印）によって誘発された角膜血管新生（黒い三角）を示す写真を示す。
【図３】アデノウイルス溶液（Ａｄ．ＣＭＶ．ＡＴＦ，図（Ｂ）及び（Ｄ）；ＡｄＫ３，図（Ａ）及び（Ｃ））を含浸させたレンズの予防的抗血管形成効果についての試験結果を示す。
【図１】
2004500369.tif 000002
【図２】
2004500369.tif 000003
【図３】
2004500369.tif 000004
【国際公開パンフレット】
2004500369.tif 000005
2004500369.tif 000006
2004500369.tif 000007
2004500369.tif 000008
2004500369.tif 000009
2004500369.tif 000010
2004500369.tif 000011
2004500369.tif 000012
2004500369.tif 000013
2004500369.tif 000014
2004500369.tif 000015
2004500369.tif 000016
2004500369.tif 000017
2004500369.tif 000018
2004500369.tif 000019
2004500369.tif 000020
2004500369.tif 000021
2004500369.tif 000022
2004500369.tif 000023
2004500369.tif 000024
2004500369.tif 000025
2004500369.tif 000026
2004500369.tif 000027
2004500369.tif 000028
2004500369.tif 000029
【国際公開パンフレット（コレクトバージョン）】
2004500369.tif 000030
【国際調査報告】
2004500369.tif 000031
2004500369.tif 000032
2004500369.tif 000033
2004500369.tif 000034
2004500369.tif 000035
2004500369.tif 000036